(57)【要約】【課題】専用の装置を用いることなく渋滞情報の共有を行い、更に、その渋滞情報を経路探索に利用する技術を提供する。【解決手段】経路探索システムは、現在位置を取得する位置取得部と、現在位置周辺の渋滞に関する情報を含む道路交通情報を取得する情報取得部と、現在位置を表すタグ情報と道路交通情報とを含む渋滞情報メッセージを生成するメッセージ生成部と、投稿されたメッセージを複数の装置で共有するサービスを提供するＳＮＳサーバに、渋滞情報メッセージを投稿するメッセージ投稿部と、ノードとリンクとを含む道路ネットワークデータに基づき、前記道路交通情報と、前記ＳＮＳサーバに投稿された前記渋滞情報メッセージとに応じて、渋滞を回避可能な目的地までの経路を探索する経路探索部と、を備える。【選択図】図１
2015161504.tif 000002
【特許請求の範囲】
【請求項１】
経路探索システムであって、
現在位置を取得する位置取得部と、
前記現在位置周辺の渋滞に関する情報を含む道路交通情報を取得する情報取得部と、
前記現在位置を表すタグ情報と、前記道路交通情報と、を含む渋滞情報メッセージを生成するメッセージ生成部と、
投稿されたメッセージを複数の装置で共有するサービスを提供するＳＮＳ（ソーシャルネットワーキングサービス）サーバに、前記渋滞情報メッセージを投稿するメッセージ投稿部と、
ノードとリンクとを含む道路ネットワークデータに基づき、前記道路交通情報と、前記ＳＮＳサーバに投稿された前記渋滞情報メッセージとに応じて、渋滞を回避可能な目的地までの経路を探索する経路探索部と、
を備える経路探索システム。
【請求項２】
請求項１に記載の経路探索システムであって、
前記メッセージ生成部は、前記渋滞情報メッセージに、更に、ユーザの移動速度に関する情報、所定の地点間のユーザの移動時間、前記現在位置周辺の天気に関する情報のうち、少なくとも一部を含ませる、経路探索システム。
【請求項３】
請求項１または請求項２に記載の経路探索システムであって、
前記メッセージ生成部は、前記タグ情報を符号化する、経路探索システム。
【請求項４】
請求項１から請求項３までのいずか一項に記載の経路探索システムであって、
前記メッセージ投稿部は、更に、前記経路の探索の結果に応じて、前記目的地に到着する予定時間を算出して前記ＳＮＳサーバに投稿する、経路探索システム。
【請求項５】
請求項１から請求項４までのいずれか一項に記載の経路探索システムであって、
前記経路探索部は、前記渋滞情報メッセージの件数が一定数よりも少ない場合に、前記道路交通情報を用いて経路の探索を行う、経路探索システム。
【請求項６】
経路探索システムが実行する経路探索方法であって、
（Ａ）現在位置を取得する工程と、
（Ｂ）前記現在位置周辺の渋滞に関する情報を含む道路交通情報を取得する工程と、
（Ｃ）前記現在位置を表すタグ情報と、前記道路交通情報と、を含む渋滞情報メッセージを生成する工程と、
（Ｄ）投稿されたメッセージを複数の装置で共有するサービスを提供するＳＮＳサーバに、前記渋滞情報メッセージを投稿する工程と、
（Ｅ）ノードとリンクとを含む道路ネットワークデータに基づき、前記道路交通情報と、前記ＳＮＳサーバに投稿された前記渋滞情報メッセージとに応じて、渋滞を回避可能な目的地までの経路を探索する工程と、
を含む経路探索方法。
【請求項７】
コンピュータが実行するコンピュータプログラムであって、
現在位置を取得する機能と、
前記現在位置周辺の渋滞に関する情報を含む道路交通情報を取得する機能と、
前記現在位置を表すタグ情報と、前記道路交通情報と、を含む渋滞情報メッセージを生成する機能と、
投稿されたメッセージを複数の装置で共有するサービスを提供するＳＮＳサーバに、前記渋滞情報メッセージを投稿する機能と、
ノードとリンクとを含む道路ネットワークデータに基づき、前記道路交通情報と、前記ＳＮＳサーバに投稿された前記渋滞情報メッセージとに応じて、渋滞を回避可能な目的地までの経路を探索する機能と、
をコンピュータに実現させるコンピュータプログラム。
【発明の詳細な説明】
【技術分野】
【０００１】
本発明は、経路探索システム、経路探索方法およびコンピュータプログラムに関する。
【背景技術】
【０００２】
ＦＭ多重放送やビーコンを用いて渋滞情報などの道路交通情報を配信するシステムが知られている（ＶＩＣＳ（登録商標））。また、自動車メーカーやカーナビゲーションシステムメーカーが独自に自社製品から自車位置に関する情報を収集して渋滞を予測するシステムも知られている。しかし、これらのシステムを利用するためには、専用の装置（ＶＩＣＳ受信機、車両、カーナビゲーションシステムなど）の導入が必要であり、だれもが利用可能なシステムではなかった。
【０００３】
そこで、近年では、例えば、特許文献１，２に記載されているように、誰もが投稿された情報を共有できるＳＮＳ（Social Networking Service）とよばれるシステムを利用して、渋滞に関する情報を収集する技術が提案されている。
【先行技術文献】
【特許文献】
【０００４】
【特許文献１】特開２０１３−１７８１３５号公報
【特許文献２】特開２０１３−０５０９１８号公報
【発明の概要】
【発明が解決しようとする課題】
【０００５】
しかし、特許文献１，２には、渋滞情報を投稿する方法や収集された渋滞情報を表示する方法については記載されているが、ＳＮＳによって収集された渋滞情報を積極的に経路探索に利用することについては提案されていない。そこで、本発明は、既存のＳＮＳの仕組みを用いることで、専用の装置を用いることなく渋滞情報の共有を行い、その渋滞情報を経路探索に利用することを課題とする。
【０００６】
また、従来の経路探索システムにおいては、使い勝手の向上や、処理負担の軽減、通信量の削減、などが望まれている。
【課題を解決するための手段】
【０００７】
本発明は、上述の課題の少なくとも一部を解決するためになされたものであり、以下の形態として実現することが可能である。
【０００８】
（１）本発明の一形態によれば、経路探索システムが提供される。この経路探索システムは、現在位置を取得する位置取得部と；前記現在位置周辺の渋滞に関する情報を含む道路交通情報を取得する情報取得部と；前記現在位置を表すタグ情報と、前記道路交通情報と、を含む渋滞情報メッセージを生成するメッセージ生成部と；投稿されたメッセージを複数の装置で共有するサービスを提供するＳＮＳ（ソーシャルネットワーキングサービス）サーバに、前記渋滞情報メッセージを投稿するメッセージ投稿部と；ノードとリンクとを含む道路ネットワークデータに基づき、前記道路交通情報と、前記ＳＮＳサーバに投稿された前記渋滞情報メッセージとに応じて、渋滞を回避可能な目的地までの経路を探索する経路探索部と、を備える。このような形態の経路探索システムによれば、ＳＮＳサーバに投稿された渋滞情報メッセージに応じて、渋滞を回避可能な経路を探索することができるので、専用の装置を用いることなく渋滞情報の共有を行うことができ、更に、その渋滞情報を経路探索に利用することができる。
【０００９】
（２）上記形態の経路探索システムにおいて、前記メッセージ生成部は、前記渋滞情報メッセージに、更に、ユーザの移動速度に関する情報、所定の地点間のユーザの移動時間、前記現在位置周辺の天気に関する情報のうち、少なくとも一部を含ませてもよい。このような形態であれば、様々な情報を用いて経路探索を行うことができる。
【００１０】
（３）上記形態の経路探索システムにおいて、前記メッセージ生成部は、前記タグ情報を符号化してもよい。このような形態であれば、渋滞情報メッセージを投稿可能な端末を制限することができるので、不正な渋滞情報メッセージが投稿されてしまうことを抑制することができる。この結果、経路探索の精度を向上させることができる。
【００１１】
（４）上記形態の経路探索システムにおいて、前記メッセージ投稿部は、更に、前記経路の探索の結果に応じて、前記目的地に到着する予定時間を算出して前記ＳＮＳサーバに投稿してもよい。このような形態であれば、例えば、目的地でユーザの到着を待つ人物等に、到着時間を通知することができる。
【００１２】
（５）上記形態の経路探索システムにおいて、前記経路探索部は、前記渋滞情報メッセージの件数が一定数よりも少ない場合に、前記道路交通情報を用いて経路の探索を行ってもよい。このような形態であれば、ＳＮＳサーバに投稿された渋滞情報メッセージの数が十分でない場合に、渋滞情報メッセージではなく、道路交通情報に基づいて経路を探索することができる。よって、道路交通情報と渋滞情報メッセージとのうち、信頼できる情報に基づいて経路探索を行うことができる。
【００１３】
本発明は、経路探索システム以外の種々の形態で実現することも可能である。例えば、経路探索システムが実行する経路案内方法や、コンピュータが経路案内を行うためのコンピュータプログラム、そのコンピュータプログラムを記録した一時的でない記録媒体、等の形態で実現することができる。
【図面の簡単な説明】
【００１４】
【図１】経路探索システムの概略構成を示す説明図である。
【図２】投稿処理のフローチャートである。
【図３】経路探索処理のフローチャートである。
【発明を実施するための形態】
【００１５】
Ａ．システム構成：
図１は、本発明の一実施形態としての経路探索システム１０の概略構成を示す説明図である。経路探索システム１０は、端末装置として複数のスマートフォン１００と、経路探索サーバ２００と、ＳＮＳ（Social Networking Service）サーバ３００と、道路交通情報サーバ４００と、天気情報サーバ５００と、を備える。ＳＮＳサーバ３００は、投稿されたメッセージを複数の装置で共有するサービスを提供するサーバ装置である。
【００１６】
スマートフォン１００は、送受信アンテナと無線基地局と交換局とを含む通信キャリア７０を介して、インターネット８０に接続された各サーバにアクセスする。スマートフォン１００は、制御部１１０と、無線通信部１２０と、タッチパネル１２４と、表示部１２６と、マイク１２８と、スピーカ１３０と、ＧＰＳ受信機１３６と、記憶部１３８と、を備える。
【００１７】
無線通信部１２０は、通信キャリア７０を介したデータ通信や音声通信を行うための回路である。表示部１２６は、地図画像等の種々の画像を表示する装置である。タッチパネル１２４は、表示部１２６に重畳して設けられており、指やペンによるユーザからのタッチ操作を受け付ける。ＧＰＳ受信機１３６は、ＧＰＳ（Global Positioning System／全地球測位システム）を構成する人工衛星から受信した電波に基づいて、スマートフォン１００（ユーザ）の現在位置（経度・緯度）を測位する。マイク１２８は、音声通信時においてユーザから発せられた音声を取得する。スピーカ１３０は、経路案内のための音声や、音声通信時において通話相手から受信した音声を出力する。
【００１８】
制御部１１０は、ＣＰＵやメモリを備えたコンピュータとして構成されており、スマートフォン１００の動作全体を制御する。制御部１１０は、メモリに記録されたコンピュータプログラムがＣＰＵによって実行されることにより、情報取得部１１２、メッセージ生成部、および、メッセージ投稿部１１６として機能する。コンピュータプログラムは、各種の記録媒体に記録されていてもよい。
【００１９】
情報取得部１１２は、ＧＰＳ受信機１３６によって測位された現在位置の周辺の道路交通情報を、インターネット８０を介して道路交通情報サーバ４００から取得する。道路交通情報には、渋滞場所、渋滞の原因、渋滞の解消見込み時間などを表す情報が含まれる。情報取得部１１２は、また、ＧＰＳ受信機１３６によって測位された現在位置周辺の天気情報を、インターネット８０を介して天気情報サーバ５００から取得する。天気情報サーバ５００からは、例えば、５００メートル四方単位で、そのエリア内の天気を表す情報が取得される。
【００２０】
メッセージ生成部１１４は、ＧＰＳ受信機１３６によって測位された現在位置と、情報取得部１１２によって取得された情報とに基づいて、渋滞に関する情報を含むメッセージを生成する。以下、このメッセージを「渋滞情報メッセージ」という。生成されるメッセージの詳細については後述する。
【００２１】
メッセージ投稿部１１６は、メッセージ生成部１１４によって生成されたメッセージをＳＮＳサーバ３００に投稿（送信）する。メッセージがＳＮＳサーバ３００に投稿されると、ＳＮＳサーバ３００は、そのメッセージを記憶し、スマートフォン１００や他の装置からの要求に応じて、そのメッセージを送信することで、メッセージの共有を行う。
【００２２】
制御部１１０は、その他にも、例えば、経路探索サーバ２００から地図データを取得して表示部１２６に表示する機能や、経路探索サーバ２００から経路情報を取得して、経路案内を行う機能を有する。経路探索サーバ２００から取得される経路情報には、経路を構成するリンクおよびノードの他、その経路を構成する道路（リンク）の道路名や道路の種別、場所名（ジャンクション名やパーキングエリア名、交差点名）等、が含まれる。
【００２３】
経路探索サーバ２００は、通信部２１０と、制御部２２０と、記憶部２３０と、を備える。通信部２１０は、インターネット８０を介してスマートフォン１００や他のサーバ（道路交通情報サーバ４００、天気情報サーバ５００、ＳＮＳサーバ３００）と通信を行う。
【００２４】
記憶部２３０には、道を表すリンクと、交差点や屈曲点、行き止まりを表すノードとにより道路のつながり状態が表された道路ネットワークデータが記憶されている。各リンクには、そのリンクを通過するための旅行時間が、コストとして関連付けられている。本実施形態では、各リンクの旅行時間は、天気毎に異なる値が設定されている。また、記憶部２３０には、地図データも記憶されている。
【００２５】
制御部２２０は、ＣＰＵやメモリを備えており、経路探索サーバ２００の動作全体を制御する。制御部２２０は、メモリに記憶されたコンピュータプログラムがＣＰＵによって実行されることにより、情報取得部２２２、メッセージ取得部２２４、および、経路探索部２２６、として機能する。コンピュータプログラムは、各種の記録媒体に記録されていてもよい。
【００２６】
情報取得部２２２は、インターネット８０を介して道路交通情報サーバ４００から道路交通情報を取得する。また、情報取得部２２２は、インターネット８０を介して天気情報サーバ５００から天気情報を取得する。
【００２７】
メッセージ取得部２２４は、インターネット８０を介してＳＮＳサーバ３００から渋滞情報メッセージを取得する。
【００２８】
経路探索部２２６は、記憶部２３０に記憶された道路ネットワークデータを用いて周知のダイクストラ法に基づき経路探索を行う。本実施形態では、経路探索部２２６は、情報取得部２２２によって取得された道路交通情報および渋滞情報メッセージに応じて、渋滞を回避可能な目的地までの経路を探索する経路探索を行い、経路情報を生成する。経路情報を生成すると、経路探索部２２６は、生成した経路情報を、スマートフォン１００に送信する。
【００２９】
Ｂ．投稿処理：
図２は、スマートフォン１００において実行される投稿処理のフローチャートである。この投稿処理は、スマートフォン１００において経路情報を用いた経路案内が行われている際に、例えば、定期的な間隔（例えば、５分間に１回）で自動的に実行される。
【００３０】
この投稿処理が開始されると、スマートフォン１００の制御部１１０は、ＧＰＳ受信機１３６から現在位置を取得する（ステップＳ１０）。そして、制御部１１０は、経路探索サーバ２００から取得した経路情報に基づき、測位された現在位置に対応する道路の名称と場所名とを判定する（ステップＳ１２）。
【００３１】
制御部１１０は、例えば、測位された現在位置が高速道路上の位置であれば、その高速道路の名称を道路の名称として判定し、現在位置付近のジャンクションやパーキングエリアの名称を場所名として判定する。また、測位された現在位置が一般道上の位置であれば、その道路の名称（国道名、県道名）を判定し、交差点の名称を場所名として判定する。道路名および場所名を判定すると、制御部は、測位された現在位置の変化に基づいてユーザの移動速度、所定の地点間（例えば、ノード間、パーキングエリア間、ジャンクション間など）の移動時間、および、進行方向を算出する（ステップＳ１４）。
【００３２】
続いて、制御部１１０の情報取得部１１２は、現在位置付近の道路交通情報を道路交通情報サーバ４００から取得し（ステップＳ１６）、更に、現在位置付近の天気情報を天気情報サーバ５００から取得する（ステップＳ１８）。上述したように、道路交通情報サーバ４００から取得される道路交通情報には、渋滞場所、渋滞の原因（事故、工事等）、渋滞の解消見込み時間などを表す情報が含まれる。また、天気情報サーバ５００から取得される天気情報には、現在位置付近の天気（晴天、雨、雪など）を表す情報が含まれる。
【００３３】
道路交通情報および天気情報を取得すると、制御部１１０のメッセージ生成部１１４は、ステップＳ１２で判定された場所名を符号化する（ステップＳ２０）。場所名の符号化は、例えば、場所名をその場所名に対応する番号（例えば、その場所に対応するノード番号）に変換してもよいし、場所名に暗号化を施してもよい。
【００３４】
場所名を符号化すると、メッセージ生成部１１４は、ＳＮＳサーバ３００に投稿可能な形式（例えば、文字数、文字コード等）に応じて、渋滞情報メッセージを生成する（ステップＳ２２）。渋滞情報メッセージには、タグ情報と本文とが含まれる。タグ情報とは、同じような内容のメッセージを分類するために用いられる情報である。本実施形態では、このタグ情報として、ステップＳ２０で符号化された場所名が記述される。場所名をタグ情報として用いることで、同じ場所名について投稿されたメッセージを容易に分類することができる。タグ情報には、その情報がタグ情報であることを識別するために所定の記号（例えば、ハッシュ記号）が付される。本実施形態では、本文に対しては、ステップＳ１２で判定された道路名、ステップＳ１４で算出された移動速度、移動時間、進行方向、ステップＳ１６で取得された道路交通情報（渋滞場所、渋滞の原因、渋滞の解消見込み時間）、ステップＳ１８で取得された天気情報等が記述される。なお、現在位置周辺の渋滞情報が道路交通情報サーバ４００から取得されなかった場合には、メッセージ生成部１１４は、渋滞情報メッセージを生成しない。
【００３５】
渋滞情報メッセージを生成すると、メッセージ投稿部１１６は、生成された渋滞情報メッセージを、ＳＮＳサーバ３００に投稿（送信）する（ステップＳ２４）。以上で説明した投稿処理が、経路探索システム１０に含まれる複数のスマートフォン１００において実行されることにより、一定の形式で生成された様々な地点における渋滞情報がＳＮＳサーバ３００によって共有されることになる。
【００３６】
Ｃ．経路探索処理：
図３は、経路探索システム１０において実行される経路探索処理のフローチャートである。この経路探索処理は、スマートフォン１００と経路探索サーバ２００とによって実行される処理である。
【００３７】
まず、スマートフォン１００においてユーザが経路探索あるいはリルートのための所定の操作を行うと、スマートフォン１００の制御部１１０は、経路探索要求を経路探索サーバ２００に送信する（ステップＳ１００）。この経路探索要求には、出発地、目的地、経由地など、ユーザから指定された種々の経路探索条件が含まれる。
【００３８】
経路探索サーバ２００の制御部２２０が、スマートフォン１００から経路探索要求を受信すると（ステップＳ２００）、情報取得部２２２は、出発地と目的地とを含む所定の範囲（例えば、出発地と目的地とを対角上に有する矩形範囲）の道路交通情報を道路交通情報サーバ４００から取得する（ステップＳ２０２）。更に、情報取得部２２２は、ＳＮＳサーバ３００に投稿されている渋滞情報メッセージのうち、前記範囲内の場所名（符号化された場所名）がタグ情報に記述された渋滞情報メッセージを、ＳＮＳサーバ３００から取得する（ステップＳ２０４）。
【００３９】
情報取得部２２２によって道路交通情報と渋滞情報メッセージとが取得されると、経路探索部２２６が、取得された道路交通情報および渋滞情報メッセージと記憶部２３０内の道路ネットワークデータと、を用いて、周知のダイクストラ法等のアルゴリズムを用いて、出発地から目的地までの経路を探索する（ステップＳ２０６）。
【００４０】
上記ステップＳ２０６では、例えば、経路探索部２２６は、渋滞情報メッセージあるいは道路交通情報に含まれる渋滞場所に該当するリンクのコスト（旅行時間）を通常のコストよりも引き上げて経路探索を行う。また、経路探索部２２６は、現在の天気に応じて、各リンクに対応付けられているコストを選択して経路探索を行う。また、経路探索部２２６は、渋滞の解消見込み時間が取得された場合には、現時点からその時間までの時間を経路中のリンクのコストに反映させて経路探索を行う。また、経路探索部２２６は、渋滞情報メッセージに渋滞場所に関する情報が含まれていない場合であっても、渋滞情報メッセージ中の移動速度が、該当する道路の制限速度よりも顕著に遅い場合、あるいは、渋滞情報メッセージ中の移動時間が、該当する区間の平均旅行時間を大幅に超過している場合に、その区間に渋滞が発生していると判断し、その道路のコストを引き上げる。これらの処理を行うことで、経路探索部２２６は、渋滞を回避可能な経路を探索することができる。
【００４１】
また、上記ステップＳ２０６では、経路探索部２２６は、ステップＳ２０４で取得された渋滞情報メッセージが一定数（例えば、５０件）よりも少ない場合には、渋滞情報メッセージではなく、道路交通情報を用いて経路探索を行う。換言すれば、渋滞情報メッセージが一定数よりも多ければ、道路交通情報ではなく、渋滞情報メッセージを用いて経路探索を行う。こうすることで、経路探索部２２６は、ＳＮＳサーバに投稿された渋滞情報メッセージの数が十分でない場合に、渋滞情報メッセージではなく、道路交通情報に基づいて経路を探索することができる。よって、道路交通情報と渋滞情報メッセージとのうち、信頼できる情報に基づいて経路探索を行うことができる。
【００４２】
経路探索を終了すると、経路探索サーバ２００の制御部は、探索された経路を表す経路情報をスマートフォン１００に送信する（ステップＳ２０８）。スマートフォン１００は、経路探索サーバ２００から送信された経路情報を受信すると（ステップＳ１０２）、ユーザから所定の指示があった場合に、予め指定された端末（他のユーザ）に宛てて、目的地への到着予定時間をＳＮＳサーバ３００に投稿する（ステップＳ１０４）。到着予定時間は、現在の時刻に、経路情報に含まれるすべてのリンクのコスト（旅行時間）を加算することで算出することができる。なお、到着予定時刻は、電子メールなどによって送信してもよい。最後に、スマートフォン１００は、ステップＳ１０２で受信した経路情報に従って、経路案内を開始する（ステップＳ１０６）。
【００４３】
Ｄ．効果：
以上で説明した本実施形態の経路探索システム１０によれば、ＳＮＳサーバ３００に投稿された渋滞情報メッセージに基づいて渋滞を回避可能な経路を探索することができるので、専用の装置を用いることなく既存のＳＮＳの仕組みを利用して渋滞情報の共有を行い、更に、その渋滞情報を経路探索に利用することができる。また、渋滞情報メッセージは、スマートフォン１００が自動的にＳＮＳサーバ３００に送信するので、ユーザに負担を生じさせることがない。また、渋滞情報メッセージは、すべて、一定の形式で生成されるので、情報を正確に分類して利用することができる。
【００４４】
また、本実施形態では、渋滞情報メッセージに記述するタグ情報を符号化するので、渋滞情報メッセージを投稿可能な端末を、符号化方法を知っている端末（例えば、経路探索サービスに加入している端末）に制限することができる。そのため、不正な渋滞情報メッセージが、意図しない端末から投稿されてしまうことを抑制することが可能になり、この結果、経路探索の精度を向上させることができる。
【００４５】
また、本実施形態では、スマートフォン１００は、経路探索終了後に、目的地に到着する予定時間をＳＮＳサーバに投稿するので、例えば、目的地でユーザの到着を待つ人物等に、到着予定時間を予め知らせておくことができる。
【００４６】
Ｅ．変形例：
上記実施形態では、経路探索を経路探索サーバ２００が実行している。これに対して、道路ネットワークデータや地図データをスマートフォン１００が記憶していれば、経路探索はスマートフォン１００において実行されてもよい。この場合、スマートフォン１００の情報取得部１１２が、経路探索で用いる道路交通情報と渋滞情報メッセージとを、各サーバ（道路交通情報サーバ４００、ＳＮＳサーバ３００）から取得する。
【００４７】
上記実施形態では、渋滞情報メッセージを生成する際に、タグ情報を符号化している。これに対して、タグ情報の符号化は行わなくてもよい。タグ情報の符号化が行われていなければ、より多くの端末によって渋滞情報メッセージの共有を行うことができる。
【００４８】
上記実施形態において、渋滞情報メッセージには、少なくとも、タグ情報と渋滞に関する情報とが含まれていればよい。その他の情報、例えば、道路名や移動速度、進行方向は、天気情報、は含まれていなくてもよい。
【００４９】
上記実施形態において、経路探索処理は、外出中や移動中、あるいは渋滞の現場でリアルタイムに実行されてもよいし、ユーザが自宅のコンピュータ等を用いて、事前の旅行計画を立てる際に実行されてもよい。
【００５０】
上記実施形態では、渋滞情報メッセージに、タグ情報として場所名が記述されることとしたが、より広い範囲の地域の名称がタグ情報として記述されてもよい。
【００５１】
上記実施形態において、経路探索サーバ２００は、ＳＮＳサーバ３００から収集した渋滞情報メッセージに統計処理を施すことにより、例えば、時間帯や曜日、季節、イベントの有無などの条件に応じて渋滞予測を行ってもよい。
【００５２】
上記実施形態では、端末装置としてスマートフォン１００を適用した。しかし、端末装置はスマートフォンに限らず、例えば、一般的な携帯電話（フィーチャーフォン）や、ノート型パーソナルコンピュータ、タブレット端末、携帯情報端末（ＰＤＡ）、携帯音楽プレーヤ、携帯型ゲーム機、カーナビゲーションシステム、ポータブルナビゲーションシステム（ＰＮＤ）など、様々な装置によって構成することが可能である。
【００５３】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５４】
１０…経路探索システム
７０…通信キャリア
８０…インターネット
１００…スマートフォン
１１０…制御部
１１２…情報取得部
１１４…メッセージ生成部
１１６…メッセージ投稿部
１２０…無線通信部
１２４…タッチパネル
１２６…表示部
１２８…マイク
１３０…スピーカ
１３６…ＧＰＳ受信機
１３８…記憶部
２００…経路探索サーバ
２１０…通信部
２２０…制御部
２２２…情報取得部
２２４…メッセージ取得部
２２６…経路探索部
２３０…記憶部
３００…ＳＮＳサーバ
４００…道路交通情報サーバ
５００…天気情報サーバ
【図１】
2015161504.tif 000003
【図２】
2015161504.tif 000004
【図３】
2015161504.tif 000005